(57)【要約】【課題】公共の交通機関等の利用中のみ移動機端末の発着信を規制状態にする。【解決手段】予め、携帯電話の発着信が規制される複数の公共の交通機関の利用開始に伴う雑音・音声のパターンを雑音パターン記憶部６０６に登録する。また、それぞれの交通機関の利用時間を利用時間記憶部６１１に記憶させるか、もしくは交通機関の利用区間と時刻表データベースを利用情報・時刻表ＤＢ部６１２に記憶させておく。外部雑音検出部６０７により検出した外部雑音が、雑音パターン記憶部６０６に登録された雑音パターンのどれかと一致したときに、制御部６０４は、移動機端末６０１を発着信ができない状態に遷移させ、同時に時計部６１３から現在の時刻を取得する。交通機関の目的地に到着するまでの所要時間を、利用時間記憶部６１１から取得するか、利用情報・時刻表ＤＢ部６１２の情報と現在時刻から算出する。その時間が経過したら、制御部６０４は、移動機端末６０１の発着信の規制状態を解除し、普通に発着信ができる状態に遷移させる。【選択図】　　　図６
2004015571.tif 000002
【特許請求の範囲】
【請求項１】
外部雑音を検知して、予め登録しておいた所定施設の雑音パターンと一致したときに発着信を規制する移動機端末の発着信規制制御システムにおいて、前記所定施設の雑音パターンと関連付けて前記所定施設の利用時間の情報を登録し、発着信の規制状態において前記利用時間の情報から当該規制状態の解除時刻を判断して、前記解除時刻に当該規制状態を自動的に解除することを特徴とする移動機端末の発着信規制制御システム。
【請求項２】
外部雑音を検知して、予め登録しておいた交通機関の雑音パターンと一致したときに発着信を規制する移動機端末の発着信規制制御システムにおいて、前記交通機関の雑音パターンと関連付けて前記交通機関の利用時間の情報を登録し、発着信の規制状態において前記利用時間の情報から当該規制状態の解除時刻を判断して、前記解除時刻に当該規制状態を自動的に解除することを特徴とする移動機端末の発着信の発着信規制制御システム。
【請求項３】
前記雑音パターン及び利用時間の情報は、ユーザにより登録可能であることを特徴とする請求項１又は２記載の移動機端末の発着信の発着信規制制御システム。
【請求項４】
前記利用時間の情報は、利用の終了時刻を含むことを特徴とする請求項１、２又は３記載の移動機端末の発着信の発着信規制制御システム。
【請求項５】
外部雑音を検知して、予め登録しておいた雑音パターンと一致したときに発着信を規制する移動機端末において、外部雑音を検出する外部雑音検出手段と、所定施設において発着信の規制状態に移行するときの特徴的な雑音パターンを記憶する雑音パターン記憶領域と、前記雑音パターンの各々に関連付けて前記所定施設の利用時間の情報を記憶する利用時間記憶領域と、前記外部雑音検出手段によって取得された雑音パターンが前記雑音パターン記憶領域に予め記憶されている雑音パターンと一致した時に、移動機端末が発着信できない発着信規制モードに移行するように制御するとともに、前記利用時間記憶領域に記憶されている前記雑音パターンに関連する利用時間が経過したら自動的に発着信の発着信規制モードを解除して通常の待ち受け状態に復帰するように制御する制御手段と、を有することを特徴とする移動機端末。
【請求項６】
ユーザーにより前記雑音パターン及び利用時間の情報を入力するための時間入力手段を有することを特徴とする請求項５記載の移動機端末。
【請求項７】
外部雑音を検知して、予め登録しておいた雑音パターンと一致したときに発着信を規制する移動機端末において、外部雑音を検出する外部雑音検出手段と、複数の交通機関において発着信の規制状態に移行するときの特徴的な雑音パターンを記憶する雑音パターン記憶領域と、前記交通機関の利用時間をユーザーが入力するための時間入力手段と、入力した交通機関の利用時間を前記雑音パターンの各々に関連付けて記憶する利用時間記憶領域と、前記外部雑音検出手段によって取得した雑音パターンが前記雑音パターン記憶領域に予め記憶された雑音パターンと一致した時に、移動機端末が発着信できない発着信規制モードに移行するように制御するとともに、利用時間記憶領域に記憶された前記雑音パターンに関連する利用時間が経過したら自動的に発着信規制モードを解除して通常の待ち受け状態に復帰するように制御する制御手段と、を有することを特徴とする移動機端末。
【請求項８】
外部雑音を検知して、予め登録しておいた雑音パターンと一致したときに発着信を規制する移動機端末において、外部雑音を検出する外部雑音検出手段と、複数の交通機関において発着信の規制状態に移行するときの特徴的な雑音パターンを記憶する雑音パターン記憶領域と、ユーザーが利用する交通機関の路線名、出発駅、目的駅を含む交通機関情報を入力する交通機関情報入力手段と、入力した交通機関情報を前記雑音パターン記憶領域に記憶された雑音パターンの各々に関連付けて記憶する利用情報記憶領域と、交通機関の時刻表データベースと、前記交通機関情報と前記時刻表データベースと発着信規制モードへの移行時刻とから、利用中の交通機関を特定して目的駅の到着時刻を算出し、目的駅の到着時刻になったら発着信の規制状態から自動的に復帰するように制御する制御手段と、を有することを特徴とする移動機端末。
【請求項９】
外部雑音を検知して、予め登録しておいた所定施設の雑音パターンと一致したときに発着信を規制する移動機端末の発着信規制制御方法において、前記所定施設の雑音パターンと前記所定施設の利用時間の情報とをセットで保持し、発着信の規制状態において前記利用時間から当該規制状態を解除する時刻を判断して、当該規制状態を自動的に解除して通常の待ち受け状態に戻るように制御することを特徴とする移動機端末の発着信規制制御方法。
【請求項１０】
外部雑音を検知して、予め登録しておいた交通機関の雑音パターンと一致したときに発着信を規制する移動機端末の発着信規制制御方法において、前記交通機関の利用時の雑音パターンと交通機関の利用時間の情報とをセットで保持し、発着信の規制状態において、前記利用時間の情報から当該規制状態を解除する時刻を判断して、当該規制状態を自動的に解除して通常の待ち受け状態に戻るように制御することを特徴とする移動機端末の発着信の発着信規制制御方法。
【請求項１１】
前記雑音パターン及び利用時間の情報は、ユーザにより移動機端末に記憶されることを特徴とする請求項９又は１０記載の移動機端末の発着信の発着信規制制御方法。
【請求項１２】
前記利用時間の情報は、利用の終了時刻を含むことを特徴とする請求項９、１０又は１１記載の移動機端末の発着信の発着信規制制御方法。
【発明の詳細な説明】
【０００１】
【発明の属する技術分野】
本発明は、移動機端末に関し、特に、使用することが望ましくない環境では自動的に発着信を規制する移動機端末の発着信規制制御システム、移動機端末及び発着信規制制御方法に関する。
【０００２】
【従来の技術】
病院などの医療施設、バスや電車の車内等、使用が望ましくない地域において発着信を規制する機能を有する移動体通信システム（移動機端末）が提案されている（特開平２００１−６９５７４号公報）。
図７は、従来の移動体通信システムを示す図である。この移動体通信システムは、アンテナ部７０２と、送受信部７０３と、制御部７０４と、入出力部７０５と、外部雑音検出部７０６と、を有する。
【０００３】
アンテナ部７０２は、無線基地局から送信される無線電波を受信する。送受信部７０３は、アンテナ部７０２で受信した電波を制御部７０４へ転送する。制御部７０４は、受信した電波を音声もしくは文字や画像のデータに変換し、入出力部７０５を介してユーザーに対して提示する。またユーザーは、入出力部７０５を介して音声もしくは文字・画像等のデータを入力する。入力されたデータは制御部７０４によって変換され、送受信部７０３によって、アンテナ７０２を介して出力される。
【０００４】
また、前記移動体通信システムは、外部雑音検出部７０６と、雑音パターン記憶部７０７とを有する。外部雑音検出部７０７は、病院などの医療施設、バスや電車の車内などの公共の交通機関など、携帯電話の使用が望ましくない地域において、ユーザーの操作によりその規制地域の雑音を入力し、制御部７０４によって雑音パターン記憶部７０７に記憶させる。また、移動機端末７０１には、制御部７０４により制御される電源回路７０８、モード制御部７０９を有する。
【０００５】
このような構成を有する従来の移動体通信システムは、つぎのように動作する。すなわち、移動機端末の電源がオンの状態では、外部雑音検出部７０６により、外部雑音を常時検出する。そして、制御部７０４は、検出した外部雑音と雑音パターン記憶部７０７に記憶された発着信規制地域の雑音パターンとを比較し、それが一致した場合に、電源回路７０８を制御することによって、アンテナ７０２、送受信部７０３に対する電源供給を停止し、もしくは、モード制御部７０９を制御することによって、留守番電話モード等の移動機端末が発着信できない状態に遷移させる。この時、画面表示または振動機能を使ってユーザーに前記モード等への遷移を通知する。
【０００６】
【発明が解決しようとする課題】
ところで、上記の移動通信システムにおいては、移動機端末が目的の雑音パターンを検知して、アンテナや送受信部への電源供給をオフにしたり、留守番電話モード等の発着信の規制状態に移行させた場合、その後、移動機端末を通常のモードに戻して着信を受けることができるようにするには、電源オンの操作、もしくは発着信の規制状態からの復帰の操作をユーザーが手動で行う必要がある。
【０００７】
このため、移動機端末が雑音パターンを検知して発着信の規制状態に遷移したことにユーザーが気づかなかった場合、もしくは発着信規制地域から離れた時に、前記操作によって通常のモードに戻すことを忘れていた場合には、他の通信端末からの着信を受けることができない状態が続き、携帯端末を持ち歩く利便性が失われる。
【０００８】
（目的）
本発明の目的は、使用が望ましくない地域において発着信が規制状態となる移動機端末において、発着信の規制状態から自動的に復帰することを可能とした移動機端末の発着信規制制御システム、移動機端末及び発着信規制制御方法を提供することにある。
【０００９】
本発明の目的は、周囲の雑音パターンを検出して発着信が規制状態となる移動機端末において、発着信の規制状態から自動的に復帰することを可能とした移動機端末の発着信規制制御システム、移動機端末及び発着信規制制御方法を提供することにある。
【００１０】
本発明の目的は、交通機関等の地域の周囲雑音パターンを検知して、アンテナや送受信装置に対する電源供給を停止する、もしくは留守番電話モードに移行するなどして発着信の規制状態に遷移する移動機端末を、規制の対象地域から離れたときにユーザーの操作無しで発着信の規制状態から復帰し、通常通りの発着信を可能とする移動機端末の発着信規制制御システム、移動機端末及び発着信規制制御方法を提供することにある。
【００１１】
【課題を解決するための手段】
本発明は、公共の交通機関等の利用時に、周囲の特定の雑音パターンを検出することによって、現在位置が発着信規制地域にあるかどうかを検知し、アンテナ・送受信装置に対する電源供給を停止、もしくは留守番電話モードに移行するなどして、発着信ができない規制状態に遷移する携帯電話において、自動的に発着信の規制状態から復帰するようにした携帯電話の着信規制制御に関する。つまり、
本発明の発着信規制制御システムは、外部雑音を検知して、予め登録しておいた所定施設の雑音パターンと一致したときに発着信を規制する移動機端末の発着信規制制御システムにおいて、前記所定施設の雑音パターンと関連付けて前記所定施設の利用時間の情報を登録し、発着信の規制状態において前記利用時間の情報から当該規制状態の解除時刻を判断して、前記解除時刻に当該規制状態を自動的に解除することを特徴とする。また、前記雑音パターン及び利用時間の情報は、ユーザにより登録可能であり、前記利用時間の情報は、利用の終了時刻を含むことを特徴とする。
【００１２】
本発明の移動機端末は、外部雑音を検知して、予め登録しておいた雑音パターンと一致したときに発着信を規制する移動機端末において、外部雑音を検出する外部雑音検出手段（例えば図１の１０６）と、所定施設において発着信の規制状態に移行するときの特徴的な雑音パターンを記憶する雑音パターン記憶領域（例えば図１の１０７）と、前記雑音パターンの各々に関連つけて前記所定施設の利用時間の情報を記憶する利用時間記憶領域（例えば図１の１１１）と、前記外部雑音検出手段によって取得された雑音パターンが前記雑音パターン記憶領域に予め記憶されている雑音パターンと一致した時に、移動機端末が発着信できない発着信規制モードに移行するように制御するとともに、前記利用時間記憶領域に記憶されている前記雑音パターンに関連する利用時間が経過したら自動的に発着信の発着信規制モードを解除して通常の待ち受け状態に復帰するように制御する制御手段（例えば図１の１０４）と、を有することを特徴とする。また、ユーザーにより前記雑音パターン及び利用時間の情報を入力するための時間入力手段（例えば図１の１１０）を有することを特徴とする。
【００１３】
本発明の移動機端末は、外部雑音を検知して、予め登録しておいた雑音パターンと一致したときに発着信を規制する移動機端末において、外部雑音を検出する外部雑音検出手段（例えば図の１０６）と、複数の交通機関において発着信の規制状態に移行するときの特徴的な雑音パターンを記憶する雑音パターン記憶領域と、前記交通機関の利用時間をユーザーが入力するための時間入力手段（例えば図１の１１０）と、入力した交通機関の利用時間を前記雑音パターンの各々に関連付けて記憶する利用時間記憶領域（例えば図１の１１１）と、前記外部雑音検出手段によって取得した雑音パターンが前記雑音パターン記憶領域に予め記憶された雑音パターンと一致した時に、移動機端末が発着信できない発着信規制モードに移行するように制御するとともに、利用時間記憶領域に記憶された前記雑音パターンに関連する利用時間が経過したら自動的に発着信規制モードを解除して通常の待ち受け状態に復帰するように制御する制御手段（例えば図１の１０４）と、を有することを特徴とする。
【００１４】
本発明の移動機端末は、外部雑音を検知して、予め登録しておいた雑音パターンと一致したときに発着信を規制する移動機端末において、外部雑音を検出する外部雑音検出手段と、複数の交通機関において発着信の規制状態に移行するときの特徴的な雑音パターンを記憶する雑音パターン記憶領域（例えば図３の３０７）と、ユーザーが利用する交通機関の路線名、出発駅、目的駅を含む交通機関情報を入力する交通機関情報入力手段（例えば図３の３１０）と、入力した交通機関情報を前記雑音パターン記憶領域に記憶された雑音パターンの各々に関連付けて記憶する利用情報記憶領域（例えば図３の３１１）と、交通機関の時刻表データベース（例えば図３の３１３）と、前記交通機関情報と前記時刻表データベースと発着信規制モードへの移行時刻とから、利用中の交通機関を特定して目的駅の到着時刻を算出し、目的駅の到着時刻になったら発着信の規制状態から自動的に復帰するように制御する制御手段（例えば図３の３０４）と、を有することを特徴とする。
【００１５】
また、本発明の移動機端末は、外部雑音を検出する外部雑音検出手段から外部雑音を検出して、予め雑音パターン記憶領域に記憶しておいた複数の雑音パターンと比較し、いずれかのパターンと一致したときに通常の待ち受けモードから発着信を規制するモードに移行する移動機端末において、ユーザーが交通機関の利用時間を入力するための時間入力手段と、入力された複数の利用時間の情報を、雑音パターン記憶領域に記憶された複数の雑音パターン各々に対応させて記憶しておく利用時間記憶領域と、外部雑音を検出して発着信の規制状態に移行した時刻を取得する時計部とを有し、発着信規制モードに移行した後、前記利用時間記憶領域に記憶され、前記雑音パターンに対応した前記利用時間が経過したら、自動的に発着信規制を解除して通常の待ち受け状態に復帰するように移動機端末を制御する制御手段を有することを特徴とし、また、本発明の移動機端末は、外部雑音を検出する外部雑音検出手段から外部雑音を検出して、予め雑音パターン記憶領域に記憶しておいた複数の雑音パターンと比較し、いずれかのパターンと一致したときに通常の待ち受けモードから発着信を規制するモードに移行する移動機端末において、ユーザーの利用する交通機関の路線名、出発駅、目的駅を含む交通機関情報を入力する交通機関情報入力装置と、入力された複数の交通機関情報を、雑音パターン記憶領域に記憶された複数の雑音パターン各々に関連付けて記憶しておく交通機関情報記憶領域と、入力された複数の交通機関に対応する時刻表データベースと、外部雑音を検出して発着信の規制状態に移行した時刻を取得する時計部とを有し、発着信の規制状態への移行時刻から、利用中の交通機関を特定して、目的駅の到着までの時間を算出する手段とを有し、目的駅の到着時刻になったら、発着信の規制状態から自動的に復帰するように移動端末を制御することを特徴とする。
【００１６】
本発明の発着信規制制御方法は、外部雑音を検知して、予め登録しておいた所定施設の雑音パターンと一致したときに発着信を規制する移動機端末の発着信規制制御方法において、前記所定施設の雑音パターンと前記所定施設の利用時間の情報とをセットで保持し、発着信の規制状態において前記利用時間から当該規制状態を解除する時刻を判断して、当該規制状態を自動的に解除して通常の待ち受け状態に戻るように制御することを特徴とする。また、前記雑音パターン及び利用時間の情報は、ユーザにより移動機端末に記憶され、前記利用時間の情報は、利用の終了時刻を含むことを特徴とする。
【００１７】
【発明の実施の形態】
次に、本発明の第１の実施の形態について図面を参照して詳細に説明する。　図１は、第１の実施の形態の移動機端末の構成を示す図である。同図を参照すると、本発明の第１の実施の形態の移動機端末１０１は、アンテナ１０２と、送受信部１０３と、制御部１０４と、入出力部１０５とを有する。
【００１８】
これらの手段はそれぞれ以下のように動作する。
アンテナ部１０２は、無線基地局から送信される無線電波を受信する。送受信部１０３は、アンテナ部１０２で受信した電波を制御部１０４へ転送する。制御部１０４は、受信した電波を音声もしくは文字や画像のデータに変換し、入出力部１０５を介してユーザーに対して提示する。ユーザーは、入出力部１０５を介して音声もしくは文字・画像等のデータを入力する。入力されたデータは制御部１０４によって変換され、送受信部１０３によって、アンテナ１０２を介して出力される。
【００１９】
また、移動機端末１０１は、外部雑音検出部１０６と、雑音パターン記憶部１０７とを有する。
【００２０】
これらの手段は、それぞれ以下のように動作する。
外部雑音検出部１０６は、バスや電車等の交通機関の車内、駅の構内等において、交通機関の車両が駅やバス停を出発するときのアナウンスや音楽等、その地域の雑音をユーザーの操作により検出する。制御部１０４は、外部雑音検出部１０６により検出された外部雑音をパターン化し、雑音パターン記憶部１０７に記憶する。ユーザーは、利用する交通機関ごとに本操作を繰り返し、各交通機関毎の雑音パターンを雑音パターン記憶部１０７に記憶させる。
【００２１】
また、移動機端末１０１は、時間入力装置１１０と、交通機関の利用時間記憶部１１１を有する。
【００２２】
これらの手段はそれぞれ以下のように動作する。
ユーザーは、時間入力装置１１０を使って、各交通機関の利用時間を入力する。入力された交通機関の利用時間情報は、該当する交通機関に対応して、雑音パターン記憶部１０７に記憶されている雑音パターンに関連付けられて、利用時間記憶部１１１に記憶される。
【００２３】
また、移動機端末１０１は、時計部１１２、制御部１０４により制御される電源回路１０８、同じく制御部１０４により制御されるモード制御部１０９を有する。
【００２４】
これらの手段はそれぞれ以下のように動作する。
外部雑音検出部１０６によって検出された雑音パターンが、雑音パターン記憶部１０７に記憶されている雑音パターンと一致した場合、制御部１０４は、電源回路１０８を制御して、アンテナ１０２および送受信部１０３への電源供給を停止する。もしくは、制御部１０４は、モード制御部１０９を制御して、移動機端末が発着信できない留守番電話モード等の状態に遷移させる。そして、その時の時刻が時計部１１２から取得される。利用時間記憶部１１１に記憶された雑音パターンに対応する時間が経過したら、制御部１０４は、移動機端末１０１を発着信の規制状態から復帰させる。
【００２５】
次に、本実施の形態の全体の動作を、図１および図２を参照して詳細に説明する。
図２は、第１の実施の形態の時間情報と雑音パターン情報の例を示す図である。図２では、ユーザーが良く利用する公共の交通機関として、電車路線１、バス路線２、電車路線３を例示している。
【００２６】
まず、ユーザーは、外部雑音検出部１０６を使って、電車路線１の電車発車のアナウンスや音楽を入力する。移動機端末１０１はその雑音をパターン化して、雑音パターン２０２として、雑音パターン記憶部１０７に格納する。
【００２７】
次にユーザーは、時間入力装置１１０を使って、電車路線１を利用するときの乗車駅から降車駅までの所要時間を入力する。入力された利用時間は、前記の雑音パターンに関連付けられて時間記憶装置１１１に記憶される。
【００２８】
ユーザーは、バス路線２、電車路線３についても同様な操作を繰り返し、図２のように、各交通機関毎の利用時間と交通機関の雑音パターンのセットを作成する。
【００２９】
このような準備が実施された移動機端末は、次のように動作する。
移動機端末１０１は、雑音検出部１０６によって常時周囲の雑音を検出し、雑音パターン記憶部１０５に格納した交通機関利用中を示す雑音パターンと比較する。
【００３０】
ユーザーが電車路線１を利用するとき、電車が発車するときのアナウンスが流れると、雑音検出部１０６がその音声を検出し、制御部１０４によって、雑音パターン記憶部１０７に記憶された雑音パターンと照合される。そして、予め登録されていた電車路線１の雑音パターン２０２と一致する。この結果、制御部１０４は、ユーザーが電車路線１を利用開始したものと判断し、電源回路１０８、モード制御部１０９、送受信部１０３、入出力部１０５を制御し、移動機端末１０１が発着信のできないモードに移行させる。そして、その時刻を時計部１１２から取得する。さらに、制御部１０４は、雑音パターン記憶部１０７の雑音パターン２０２と関連付けられている利用時間２０１を利用時間記憶部１１１から取得する。そして、制御部１０４は、例えば取得した前記時刻に利用時間２０１を加算した時刻と、時計部１１２の現在時刻とを常に比較することにより、移動機端末１０１が発着信の規制状態に移行してから利用時間２０１と同じ時間が経過したことを検出したら、発着信規制モードを解除し、電源回路１０８、モード制御部１０９、送受信部１０３、入出力部１０５を通常の状態に戻して、移動機端末１が発着信できるようにする。
【００３１】
ユーザーがバス路線２、電車路線３を利用するときは、移動機端末１０１は、雑音検出部１０６によって雑音パターン２０４、雑音パターン２０６と同じ雑音を検出し、それぞれの雑音パターンとセットになっている利用時間２０３、利用時間２０５が経過するまで、発着信ができないモードになるように制御される。
【００３２】
次に、本発明の第２の実施の形態について説明する。
図３は、本発明の第２の実施の形態の構成を示す図である。同図を参照すると、第２の実施の形態は、図１に示す本発明の第１の実施の形態の時間入力装置１１０、利用時間記憶部１１１の代わりに、交通機関情報入力装置３１０と、交通機関利用情報記憶部３１１と、時刻表データベース３１３とを有する。
【００３３】
これらの手段はそれぞれ以下のように動作する。
外部雑音検出部３０６は、バスや電車等の交通機関の車内、駅の構内等において、交通機関の車両が駅やバス停を出発するときのアナウンスや音楽等、その地域の雑音をユーザーの操作により検出する。制御部３０４は、外部雑音検出部３０６により検出された外部雑音をパターン化し、雑音パターン記憶部３０７に記憶する。ユーザーは利用する交通機関ごとに本操作を繰り返し、各交通機関毎の雑音パターンを雑音パターン記憶部３０７に記憶させる。
【００３４】
次にユーザーは、交通機関情報入力装置３１０を使って、利用する交通機関の路線名、乗車駅および降車駅等、交通機関の区間を特定できる情報を入力する。入力された情報は、雑音パターン記憶部３０７に記憶された雑音パターンに関連付けられて、交通機関利用情報記憶部３１１に記憶される。
【００３５】
また、交通機関の時刻表データベース３１３には、予め、ユーザーの利用する交通機関の時刻表データベースが格納されている。
【００３６】
また、移動機端末３０１は、時計部３１２、制御部３０４により制御される電源回路３０８、同じく制御部３０４により制御される送受信部３０３、モード制御部３０９、入出力部３０５等を有する。
【００３７】
これらの手段はそれぞれ以下のように動作する。
外部雑音検出部３０６によって検出された雑音パターンが、雑音パターン記憶部３０７に記憶されている雑音パターンと一致した場合、電源回路３０８、モード制御部３０９および入出力部３０５は、発着信を規制されるモードになるように制御部３０４から制御される。また、その時の時刻を時計部３１２から取得する。
【００３８】
制御部３０４は、検出された雑音パターンに関連付けられている交通機関の路線と、乗車駅と、降車駅の情報を、交通機関利用情報記憶部３１１から取得し、発着信の規制状態に移行した時刻と、時刻表データベース３１３に格納されている交通機関の時刻表とから、降車駅の到着時刻を算出する。そして、制御部１０４は、例えば算出した降車駅の到着時刻と、時計部３１２の現在時刻とを常に比較することにより、降車駅到着の時刻になったことを検出したら、移動機端末を発着信の規制状態から復帰させる。
【００３９】
次に、第２の実施の形態の全体の動作について、図３、図４、図５を参照しながら、詳細に説明する。
図４は、交通機関利用情報と時刻表と雑音パターン情報の例を示す図であり、図５は時刻表データベースの例を示す図である。図４では、ユーザーが利用する公共の交通機関として、電車路線１、バス路線２、電車路線３を例示している。
まず、ユーザーは、入力装置３１０を使って、電車路線１の電車発車のアナウンスや音楽等、その地域の雑音を雑音入力装置３０６により入力する。移動機端末３０１はその雑音をパターン化し、雑音パターン４０５として雑音パターン記憶部３０７に格納する。
【００４０】
次にユーザーは、電車路線１の利用情報を登録する。登録する情報は、路線名、乗車駅名、降車駅名である。入力された情報は、路線名４０１、乗車駅名４０２および降車駅名４０３として、交通機関利用情報記憶部３１１に記憶される。
【００４１】
路線名４０１によって、時刻表データベース３１３が検索され、その路線の時刻表４０４が検出される。
【００４２】
ユーザーは、バス路線２、電車路線３についても同様な操作を繰り返し、図４に示すように、交通機関毎の路線名、乗車駅名および降車駅名と、路線の時刻表と、交通機関の雑音パターンとのセットを作成する。
【００４３】
このような準備が実施された移動機端末は、次のように動作する。
通常の使用時、移動機端末３０１は常時周囲の雑音を拾い、雑音パターン記憶部３０７に格納した雑音パターンと比較する。
【００４４】
ユーザーが電車路線１を利用するとき、電車が発車するときのアナウンスが流れると、外部雑音検出部３０６がその音声を検出し、制御部３０４によって、雑音パターン記憶部３０７に記憶された雑音パターンと照合される。そして、予め登録されていた電車路線１の雑音パターン４０５と一致する。この結果、制御部３０４は、ユーザーが電車路線１を利用開始したものと判断し、移動機端末３０１の電源回路３０８、モード制御部３０９、送受信部３０３、入出力部３０５を制御し、移動機端末３０１が発着信のできないモードに移行させる。そして、発着信の規制状態に移行した時刻を時計部３１２から取得する。
【００４５】
制御部３０４は、交通機関利用情報記憶部３１１と時刻表データベース３１３とから、雑音パターン４０５に関連付けられている路線名４０１、乗車駅名４０２、降車駅名４０３、時刻表４０４を取得する。
【００４６】
ここで、乗車駅名４０２をＡ駅、降車駅名４０３をＢ駅とし、時刻表４０４が図５に示すような内容になっているものとする。また、発着信規制モードに移行した時刻を１２時００分とする。
【００４７】
制御部３０４は、図５の時刻表と発着信の規制状態への移行時刻とから、ユーザーの利用中の電車は各駅３号であると判断する。そして、ユーザーの降車駅であるＢ駅までの所要時間を６０分と算出する。
【００４８】
制御部３０４は、発着信の規制状態に移行した時刻から６０分が経過したら、発着信規制モードを解除し、電源回路３０８、モード制御部３０９、送受信部３０３、入出力部３０５を通常の状態に戻して、移動機端末３０１が発着信できるようにする。
【００４９】
また、例えば、音声パターン４０５の検出によって発着信の規制状態に移行した時刻が１１時００分であった場合、時刻表データベース５０１からユーザーが利用中の電車は急行２号だと判断できる。このとき、ユーザーの降車駅であるＢ駅までの所要時間は３０分と算出されるので、制御部３０４は、３０分後に移動機端末３０１の発着信規制モードを解除する。
【００５０】
バス路線２、電車路線３を利用するときは、移動機端末１は雑音検出部６によって雑音パターン２、雑音パターン３と同じ雑音を検出し、それぞれの雑音パターンとセットになっている交通機関利用情報、時刻表データベースから、降車駅到着時刻を算出し、その時刻になるまで、発着信ができないモードになるように制御される。
【００５１】
以上の実施の形態は交通機関の利用を例として、その利用時間又は線路名等の利用情報と時刻表の情報を記憶部に記憶して使用する移動機端末に関して説明したが、利用時間、線路名等の利用情報及び時刻表の情報を全て記憶部に記憶して、検出された雑音パターンに基づいて前記記憶情報を使用して発着信規制の制御を行うように構成することができる。
【００５２】
以下、このように構成した本発明の第３の実施の形態について説明する。
図６は、本発明の第３の実施の形態を示す図である。雑音パターン記憶部６０６に加え、利用時間記憶部６１１と、利用情報と時刻表の情報を記憶する利用情報・時刻表ＤＢ６１２とを備え、その他の構成の送受信部６０３、制御部６０４、入出力部６０５、外部雑音検出部６０７、電源回路６０８、モード制御部６０９および時計部６１３は第１、２の実施の形態と同様の機能を有する。
【００５３】
本実施の形態においても、予め、携帯電話の発着信が規制される複数の公共の交通機関の利用開始に伴う雑音パターン（雑音・音声のパターン）を外部雑音検出部６０７により検出し、雑音パターン記憶部６０６に登録する。また、この登録に関連して第１の実施の形態のようにそれぞれの交通機関の利用時間を利用時間記憶部６１１に記憶させるか、又は第２の実施の形態のように交通機関の利用区間と時刻表データベースを利用情報・時刻表ＤＢ部６１２に記憶させておく。
【００５４】
このような準備が実施された移動機端末６０１は以下のように動作する。
外部雑音検出部６０７により検出した外部雑音が雑音パターン記憶部６０６に登録された雑音パターンのどれかと一致したときに、制御部６０４は、移動機端末６０１を発着信ができない状態に遷移させ、同時に時計部６１３から遷移時の時刻を取得する。雑音パターン記憶部６０６における一致した雑音パターンと対応して記憶された利用時間記憶部６１１又は利用情報・時刻表ＤＢ部６１２の情報を検索して該当する情報を取得する。
【００５５】
つまり、制御部６０４は、前記情報が利用時間記憶部６１１に記憶されている場合は、交通機関の目的地に到着するまでの所要時間を利用時間記憶部６１１から取得し、利用情報・時刻表ＤＢ部６１２に記憶されている場合は、利用情報・時刻表ＤＢ部６１２から利用情報と時刻表の情報を利用情報・時刻表ＤＢ部６１２から取得し、発着信ができない情報に遷移した時刻と目的地に到着する所要時間又は第２の実施の形態にような交通機関利用情報及び時刻表から目的地に到達する時刻を算出する。そして制御部６０４はその時間が経過又はその時刻に達したら、移動機端末６０１の発着信の規制状態を解除し、普通に発着信ができる状態に遷移させる。
（他の実施の形態）
以上の本発明の説明においては、交通機関を利用する場合の利用開始時等の雑音パターンにより発着信が規制される移動機端末についての実施の形態を説明したが、発着信の規制は、交通機関の利用に限られるものではなく、病院、図書館、映画館、レストラン等、何れの所定施設の利用においても実施可能であり、一般にこのような所定施設での実施の形態を構成することができることは明らかである。
【００５６】
また、かかる所定施設での実施の形態においては、ユーザが発着信の規制の対象とする施設等を適宜、選択可能に構成することができる。例えば第１の実施の形態等のように、選択した施設に関して特徴的なその環境ノイズを雑音パターン記憶部（雑音パターン記憶領域）に記憶し、その施設の通常の利用時間を利用時間記憶部（利用時間記憶領域）に記憶することができるように構成することができる。また、前記第２の実施の形態等のように、選択した施設に関して特徴的なその環境ノイズを雑音パターン記憶部に記憶し、当該施設の利用情報、例えば施設名、当該施設の利用の開始時刻、終了時刻等のスケジュールを利用情報記憶部（利用情報記憶領域）に記憶するように構成することができる。
【００５７】
【発明の効果】
以上の説明より明らかなように本発明は、外部雑音を検知して、予め登録しておいた雑音パターンと一致したときに発着信を規制する移動機端末において、交通機関、その他施設等の利用時の雑音パターンと交通機関等の利用時間の各情報をセットで持つことによって、発着信の規制状態を解除してよい時刻を知り、規制を自動的に解除して、通常の待ち受け状態に戻るように制御することから、発着信が規制されたままになって着信を受けられないという状態になるのを防ぐことができる。
【００５８】
また、交通機関を対象とする場合は、現在時刻と時刻表データベースとから使用している交通機関を特定し、目的地の到着時間を算出することにより、各交通機関の個別の利用時間を正確に知ることができるので、移動機端末の精度の高い規制モードの時間設定が可能となる。
【図面の簡単な説明】
【図１】本発明の第１の実施の形態の構成を示すブロック図である。
【図２】本発明の第１の実施の形態の時間情報と雑音パターン情報の例を示す図である。
【図３】本発明の第２の実施の形態の構成を示すブロック図である。
【図４】本発明の第２の実施の形態の交通機関利用情報と時刻表と雑音パターン情報の例を示す図である。
【図５】本発明の第２の実施の形態の時刻表データベースの例を示す図である。
【図６】本発明の第３の実施の形態の構成を示すブロック図である。
【図７】従来の技術を示すブロック図である。
【符号の説明】
１０１、３０１、６０１、７０１　移動機端末
１０２、３０２、６０２、７０２　アンテナ
１０３、３０３、６０３、７０３　送受信部
１０４、３０４、６０４、７０４　制御部
１０５、３０５、６０５、７０５　入出力部
１０６、３０６、６０６、７０６　外部雑音検出部
１０７、３０７、６０７、７０７　雑音パターン記憶部
１０８、３０８、６０８、７０８　電源回路
１０９、３０９、６０９、７０９　モード制御部
１１０、６１０　時間入力装置
１１１　利用時間記憶部
１１２、３１２、　時計部
３１１　交通機関利用情報記憶部
３１０　交通機関情報入力装置
３１３　時刻表データベース（ＤＢ）
６１０　入力装置
６１２　利用時間・時刻表データベース（ＤＢ）部
【図１】
2004015571.tif 000003
【図２】
2004015571.tif 000004
【図３】
2004015571.tif 000005
【図４】
2004015571.tif 000006
【図５】
2004015571.tif 000007
【図６】
2004015571.tif 000008
【図７】
2004015571.tif 000009